(57)【特許請求の範囲】
【請求項１】
２波長式の炎検知器において、
長波長素子と；
上記長波長素子の近傍に設けられている第１の短波長素子と；
上記第１の短波長素子と上記長波長素子とを結ぶ直線のほぼ延長線上であって、上記長波長素子から見て、上記第１の短波長素子とは反対側に設けられている第２の短波長素子と；
を基台に有し、上記第１の短波長素子の出力信号と上記第２の短波長素子の出力信号とを比較して、レベルが大きい方の出力信号を火災検出に使用することを特徴とする炎検知器。
【発明の詳細な説明】
【０００１】
【発明の属する技術分野】
本発明は、長波長素子と短波長素子とを具備する２波長式の炎検知器に関する。
【０００２】
【従来の技術】
図３は、従来の炎検知器ＦＤ１を示す断面図である。
【０００３】
従来の炎検知器ＦＤ１において、筐体Ｃに固定されているベース板ＢＰに対して傾斜して２つの基台Ｂ１、Ｂ２が設けられ、基台Ｂ１に、１つの受光部ケース４が設けられ、この受光部ケース４の中に、双方とも赤外領域において感度を有するが、短波長領域における検出感度が高い短波長素子１と、長波長領域における検出感度が高い長波長素子２とが設置され、短波長素子１と長波長素子２との間に、内部光源６が設けられている。そして、短波長素子１と長波長素子２と内部光源６とが、可視領域をカットするガラスＧで覆われている。
【０００４】
また、受光部ケース４は、金属部４Ｍとガラス部４Ｇとによって構成されている。
【０００５】
他方の基台Ｂ２にも、基台Ｂ１と同様に、受光部ケース４、短波長素子１、長波長素子２等が設けられている。
【０００６】
そして、基台Ｂ１、Ｂ２と、これらに載置されている受光部ケース４、短波長素子１、長波長素子２等が、受光ガラス５で覆われている。
【０００７】
ところで、炎が発生する赤外線は、長波長成分のレベルが高く、短波長成分のレベルが低いという周波数特性を有する。したがって、長波長素子と短波長素子とを具備する２波長式の炎検知器では、長波長素子の出力レベルが高く、短波長素子の出力レベルが低い場合に、炎を検出したと判断する。
【０００８】
また、回転灯の照射光、太陽光等の外来ノイズ光Ｎを従来の炎検知器ＦＤ１が検出した場合、長波長素子２の出力レベルが高いが、短波長素子１の出力レベルも高いので、炎を検出したとは判断しないようになっている。
【０００９】
【発明が解決しようとする課題】
ところが、従来の炎検知器ＦＤ１において、図３に示す矢印方向から、外来ノイズ光Ｎが投入した場合、図３に示す右側に存在する短波長素子１は、受光部ケース４の金属部４Ｍによって、上記外来ノイズ光Ｎが遮蔽され、外来ノイズ光Ｎを充分には受けることができない。この場合、長波長素子２は、金属部４Ｍで遮蔽されないので、充分に外来ノイズ光Ｎを受ける。したがって、図３に示す右側の検出部分（基台Ｂ１に載置されている検出素子）のみに着目すると、長波長素子２の出力レベルが高いが、短波長素子１の出力レベルが低いという検出結果になり、外来ノイズ光Ｎを充分に検出してないので、炎を検出したと判断し、つまり、外来ノイズ光Ｎによる誤動作が生じるという問題がある。
【００１０】
この誤動作を避けるために、従来の炎検知器ＦＤ１では、右側の検出部分（基台Ｂ１に載置されている検出素子）で炎を検出したという結果が出る状態であっても、左側の検出部分（基台Ｂ２に載置されている検出素子）で外来ノイズを検出した場合に、炎検知器ＦＤ１としては、炎を検出したという判断を行なわないようにしている。逆に、左側の検出部分（基台Ｂ２に載置されている検出素子）で炎を検出したという結果が出る状態であっても、右側の検出部分で外来ノイズを検出した場合に、炎検知器ＦＤ１としては、炎を検出したという判断を行なわないようにしている。
【００１１】
しかし、上記従来例では、炎検知器の左側の検出部分と、右側の検出部分とを比較する必要があり、この比較動作が煩雑であるという問題がある。
【００１２】
本発明は、回転灯の照射光、太陽光等の外来ノイズ光が長波長素子のみに照射されることがなく、したがって、回転灯の照射光、太陽光等の外来ノイズ光による誤動作を防止することができる炎検知器を提供することを目的とするものである。
【００１３】
【課題を解決するための手段】
本発明は、２波長式の炎検知器において、長波長素子と、上記長波長素子の近傍に設けられている第１の短波長素子と、上記第１の短波長素子と上記長波長素子とを結ぶ直線のほぼ延長線上であって、上記長波長素子から見て、上記第１の短波長素子とは反対側に設けられている第２の短波長素子とを基台に有し、上記第１の短波長素子の出力信号と上記第２の短波長素子の出力信号とを比較して、レベルが大きい方の出力信号を火災検出に使用することを特徴とする炎検知器である。
【００１４】
【発明の実施の形態および実施例】
図１は、本発明の第１の実施例である炎検知器ＦＤ１１を示す断面図である。
【００１５】
炎検知器ＦＤ１１は、筐体Ｃと、筐体Ｃに固定されているベース板ＢＰと、ベース板ＢＰに固定されている基台Ｂ１、Ｂ２と、第１の短波長素子１１と、第２の短波長素子１３と、長波長素子１２と、受光部ケース４と、ガラスＧと、受光ガラス５と、内部光源６と、外部光源７とを有する。
【００１６】
基台Ｂ１、Ｂ２は、ベース板ＢＰに対して傾斜して設置され、基台Ｂ１に、短波長領域における検出感度が高い第１の短波長素子１１、第２の短波長素子１３と、長波長領域における検出感度が高い長波長素子１２と、受光部ケース４と、ガラスＧと、内部光源６とが設けられている。また、受光部ケース４内には、第１の短波長素子１１と、第２の短波長素子１３と、長波長素子１２と、受光部ケース４と、ガラスＧと、内部光源６とが設けられている。また、受光部ケース４は、金属部４Ｍとガラス部４Ｇとによって構成されている。
【００１７】
さらに、第１の短波長素子１１は、長波長素子１２の近傍に設けられ、第１の短波長素子１１と長波長素子１２とを結ぶ直線のほぼ延長線上であって、長波長素子１２から見て、第１の短波長素子１１とは反対側に、第２の短波長素子１３が設けられている。
【００１８】
また、図示しない火災判別手段が設けられ、この火災判別手段は、第１の短波長素子１１の出力信号と、第２の短波長素子１３の出力信号とを比較し、レベルが大きい方の出力信号を火災検出に使用するものである。
【００１９】
そして、他方の基台Ｂ２にも、基台Ｂ１と同様に、受光部ケース４、第１の短波長素子１１、長波長素子１２、第２の短波長素子１３等が設けられている。
【００２０】
また、基台Ｂ１、Ｂ２と、これらに載置されている受光部ケース４、短波長素子１１、１３、長波長素子１２等が、受光ガラス５で覆われている。
【００２１】
次に、上記実施例である炎検知器ＦＤ１１の動作について説明する。
【００２２】
炎検知器ＦＤ１１において、一直線上に、長波長素子１２と、短波長素子１１、１３とが設けられ、長波長素子１２を挟むように、短波長素子１１、１３が設けられているので、回転灯の照射光、太陽光等の外来ノイズ光Ｎが、長波長素子１２のみに照射されることがなく、短波長素子１１、１３の少なくとも一方に照射され、したがって、回転灯の照射光等の外来ノイズ光Ｎによる誤動作を防止することができる。
【００２３】
つまり、外来ノイズ光Ｎが、図１に矢印で示すように斜めから到来した場合、右側の検出部分（基台Ｂ１に載置されている検出素子）における短波長素子１１への入射光成分が、受光部ケース４の金属部４Ｍで遮られるので、右側の検出部分における短波長素子１１への入射光成分が少なくなる。しかし、この場合、右側の検出部分における短波長素子１３への入射成分は、受光部ケース４の金属部４Ｍで遮られることがないので、右側の検出部分における短波長素子１３への入射成分が、少なくはならない。
【００２４】
この場合、図示しない火災判別手段が、第１の短波長素子１１の出力信号と、第２の短波長素子１３の出力信号とを比較し、レベルが大きい方の出力信号を火災検出に使用する。
【００２５】
したがって、外来ノイズ光Ｎが、図１に矢印で示すように斜めから到来した場合でも、右側の検出部分において、外来ノイズ光Ｎによって誤動作することがない。
【００２６】
上記の場合、左側の検出部分（基台Ｂ２に載置されている検出素子）については、第１の短波長素子１１、長波長素子１２、第２の短波長素子１３のそれぞれは、図１に矢印で示す外来ノイズを充分に受光するので、受光部ケース４の金属部４Ｍの遮光によって誤動作する心配がない。
【００２７】
ところで、図１に示す矢印は、図中左上から右下に向かって外来ノイズ光Ｎが入射する場合の例であるが、図中右上から左下に向かって外来ノイズ光Ｎが入射する場合には、上記と逆の説明をすることができ、この場合も、誤動作する心配がない。
【００２８】
また、長波長素子１２と短波長素子１１、１３とを一直線に並べる理由は、たとえばトンネル等の壁面に設置して炎を監視するときに、車両が路面を走り炎検知器ＦＤ１１の前を横切るように移動するので、炎自体もその方向に移動すると想定でき、その移動に対して監視範囲で必ず長波長素子１２と短波長素子１１、１３のいずれかに入射させることができるようにするためである。すなわち、縦方向に並べると、受光部ケース４による一方の短波長素子の遮蔽と、別の車両等による他方の短波長素子の遮蔽が起こり得る。
【００２９】
図２は、本発明の第２の実施例である炎検知器ＦＤ１２を示す断面図である。
【００３０】
炎検知器ＦＤ１２は、基本的には、炎検知器ＦＤ１１と同じであるが、炎検知器ＦＤ１１において、第１の短波長素子１１、第２の短波長素子１３の代わりに、１つの短波長素子２１を設け、受光部ケース４、ガラスＧの代わりに、樹脂化した可視カットガラス８を短波長素子２１に設けた点のみが、炎検知器ＦＤ１１とは異なる。
【００３１】
すなわち、受光部ケース４自体をなくすことによって、短波長素子２１の遮光を発生させないものであり、炎検知器ＦＤ１２は、長波長素子と短波長素子とを具備する２波長式の炎検知器において、赤外領域の波長を透過し、可視領域をカットする性質を有する樹脂を用い、樹脂化した可視カットガラスによって、上記短波長素子が覆われている炎検知器の例である。
【００３２】
なお、可視カットガラス８の光学的な特性は、短波長部分の光を通過させ、長波長部分の光の通過を阻止する特性である。また、材質はポリカーボネート系（たとえば、商品名ユーピロン）であり、成型が可能である。したがって、図面に示すように半球状等に形成することができる。
【００３３】
次に、上記実施例である炎検知器ＦＤ１２の動作について説明する。
【００３４】
炎検知器ＦＤ１２において、受光部ケース４が設けられていないので、外来ノイズ光Ｎから短波長素子２１に向かう光路を、その金属部４Ｍが遮蔽することがない。したがって、回転灯の照射光等の外来ノイズ光Ｎによる誤動作を防止することができる。
【００３５】
【発明の効果】
本発明によれば、長波長素子と短波長素子とを使用して、回転灯の照射光、太陽光等の外来ノイズによる誤動作を防止する場合、短波長素子の数を少なくすることができ、しかも、火災判断が簡素であるという効果を奏する。
【図面の簡単な説明】
【図１】本発明の第１の実施例である炎検知器ＦＤ１１を示す断面図である。
【図２】本発明の第２の実施例である炎検知器ＦＤ１２を示す断面図である。
【図３】従来の炎検知器ＦＤ１を示す断面図である。
【符号の説明】
ＦＤ１１、ＦＤ１２…炎検知器、
１１…第１の短波長素子、
１２…長波長素子。
１３…第２の短波長素子、
２１…短波長素子、
２２…長波長素子、
８…可視カットガラス、
Ｂ１、Ｂ２…基台、
Ｎ…外来ノイズ光。
【図１】
0003891465.tif 000002
【図２】
0003891465.tif 000003
【図３】
0003891465.tif 000004